(57)【要約】      （修正有）【課題】フィットネス制御システム及びスピンバイクを提供する。【解決手段】フィットネス制御システムは、中央制御装置１００と端末設備１１０とを備え、中央制御装置が、フィットネス設備の各パラメーターの変化情報を検出し、端末設備が、フィットネス設備の各パラメーターの変化情報に基づいて、ディスプレイの表示内容を制御し、仮想キャラクターがフィットネスシーンにおける上下揺れが発生する道路で走行するときに中央制御装置に制御信号をフィードバックし、中央制御装置が、さらに、制御信号を受信し、制御信号に基づいて、フィットネス設備を、振動のフィードバックを生成するように制御し、中央制御装置は、フィットネスシーンにおける道路情報に基づいて、フィットネスシーンにおける道路情報に対応するフィードバックを、ユーザに与えて、ユーザに対象フィットネスシーンに没入して楽しませることができる。【選択図】図２
0003235301.tif 000002
【実用新案登録請求の範囲】
【請求項１】
フィットネス設備に適用され、中央制御装置と、前記中央制御装置と接続する端末設備とを備え、
前記端末設備がディスプレイを含み、前記ディスプレイが予め設定されたフィットネスシーンにおける仮想キャラクターを表示するものであり、前記仮想キャラクターが、予め設定されるものであり、且つ前記フィットネス設備を利用するユーザを模擬したものであり、
前記中央制御装置が、ユーザが前記フィットネス設備を利用してフィットネスを行う過程において、前記フィットネス設備の各パラメーターの変化情報をリアルタイムで取得し、前記フィットネス設備の各パラメーターの変化情報を前記端末設備に送信するように構成され、
前記端末設備が、前記フィットネス設備の各パラメーターの変化情報に基づいて、前記ディスプレイの表示内容を制御し、前記仮想キャラクターが前記フィットネスシーンにおける上下揺れが発生する道路で走行するときに前記中央制御装置に制御信号をフィードバックするように構成され、
前記中央制御装置が、さらに、前記制御信号を受信し、前記制御信号に基づいて前記フィットネス設備を、振動のフィードバックを生成するように制御する、ように構成される
ことを特徴とするフィットネス制御システム。
【請求項２】
前記フィットネス設備はハンドルを備え、前記フィットネス制御システムは振動ユニットをさらに備え、前記振動ユニットが、前記ハンドルに取り付けられるとともに、前記中央制御装置に電気接続され、
前記中央制御装置が、さらに、受信した前記制御信号に基づいて、前記振動ユニットを、フィットネス設備のハンドルで振動のフィードバックを発生するように制御する、ように構成される
ことを特徴とする請求項１に記載のフィットネス制御システム。
【請求項３】
前記フィットネス設備はホイールを備え、前記フィットネス制御システムは第１角度センサを備え、前記第１角度センサが、前記ホイールに設置されるとともに、前記中央制御装置に電気接続され、
前記第１角度センサは、ユーザが前記フィットネス設備を利用してフィットネスを行う過程において、前記フィットネス設備のホイール回転パラメーターをリアルタイムで検出し、前記ホイール回転パラメーターを前記中央制御装置に送信するように構成され、
前記中央制御装置が、さらに、受信した前記ホイール回転パラメーターに基づいて、前記フィットネス設備のホイール回転変化パラメーターを確定し、前記フィットネス設備のホイール回転変化パラメーターを前記端末設備に送信するように構成される
ことを特徴とする請求項２に記載のフィットネス制御システム。
【請求項４】
前記フィットネス設備はハンドルを備え、前記フィットネス制御システムは第２角度センサを備え、前記第２角度センサが、前記ハンドルに取り付けられるとともに、前記中央制御装置に電気接続され、
前記第２角度センサが、ユーザが前記フィットネス設備を利用してフィットネスを行う過程において、前記フィットネス設備のハンドル回動パラメーターをリアルタイムで検出し、前記ハンドル回動パラメーターを前記中央制御装置に送信するように構成され、
前記中央制御装置が、さらに、前記ハンドル回動パラメーターに基づいて、前記フィットネス設備のハンドル回動変化パラメーターを確定し、前記フィットネス設備のハンドル回動変化パラメーターを前記端末設備に送信するように構成される
ことを特徴とする請求項３に記載のフィットネス制御システム。
【請求項５】
前記フィットネス設備はホイールを備え、前記フィットネス制御システムは、それぞれ前記中央制御装置に電気接続される速度調節ユニット及び制御ボタンをさらに備え、
前記制御ボタンが、ユーザの、フィットネス設備に対するホイール速度調節操作に応答し、操作信号を生成し、前記操作信号を前記中央制御装置に送信するように構成され、
前記中央制御装置が、さらに、該操作信号に対応する速度調節信号を生成し、前記速度調節信号を前記速度調節ユニットに送信するように構成され、
前記速度調節ユニットが、前記フィットネス設備のホイールの回転速度を調節するように構成される
ことを特徴とする請求項４に記載のフィットネス制御システム。
【請求項６】
前記制御ボタンは段アップダウン制御ボタンを含み、
前記段アップダウン制御ボタンが、ユーザの、フィットネス設備に対する段アップダウン操作に応答し、段アップダウン操作信号を生成し、段アップダウン操作信号を前記中央制御装置に送信するように構成され、
前記中央制御装置が、さらに、該段アップダウン操作信号に対応する加減速信号を生成し、前記加減速信号を前記速度調節ユニットに送信するように構成され、
前記速度調節ユニットが、前記フィットネス設備の段を調節するように構成され、
前記制御ボタンが制動制御ボタンを含み、
前記制動制御ボタンが、ユーザの、フィットネス設備に対する制動操作に応答し、制動操作信号を確定し、制動操作信号を前記中央制御装置に送信するように構成され、
前記中央制御装置が、さらに、受信した前記制動操作信号に基づいて、該制動操作信号に対応する制動信号を生成し、前記制動信号を前記速度調節ユニットに送信するように構成され、
前記速度調節ユニットが、受信した制動信号に基づいて、前記フィットネス設備を制動するように制御する、ように構成される
ことを特徴とする請求項５に記載のフィットネス制御システム。
【請求項７】
前記速度調節ユニットは、磁気制御ユニットと電磁石とを備え、前記電磁石がホイールに設置され、前記磁気制御ユニットが中央制御装置及び電磁石のそれぞれと電気接続され、
前記中央制御装置が、さらに、該操作信号に対応するパルス調節信号を生成し、前記パルス調節信号を前記磁気制御ユニットに送信するように構成され、
前記磁気制御ユニットが、前記パルス調節信号に対応する調節電流を生成し、前記調節電流を前記電磁石に送るように構成され、
前記電磁石が、前記調節電流に対応する磁力を発生し、発生した磁力によりホイールの回転速度を制御するように構成される
ことを特徴とする請求項６に記載のフィットネス制御システム。
【請求項８】
バイク本体と請求項７に記載のフィットネス制御システムとを備え、前記フィットネス制御システムが前記バイク本体に取り付けられる
ことを特徴とするスピンバイク。
【請求項９】
前記バイク本体は、フレームと、ハンドルと、ホイールとを備え、前記振動ユニットがハンドルに設置され、前記第１角度センサがホイールに設置され、前記第２角度センサがハンドルに設置され、前記制御ボタンがハンドルに設置され、前記速度調節ユニットがホイールに設置される
ことを特徴とする請求項８に記載のスピンバイク。
【請求項１０】
前記バイク本体は、フレームと、ハンドルと、ホイールとを備え、前記中央制御装置がハンドルの内部に設置され、前記端末設備がハンドルの前側に設置され、前記振動ユニットがハンドルの握り箇所に設置され、前記第１角度センサがホイールの中心位置に設置され、前記第２角度センサがハンドルのフレームと接続する箇所の底側に設置され、前記磁気制御ユニットがハンドルの内部に設置され、前記電磁石がホイールの周辺に設置される
ことを特徴とする請求項８に記載のスピンバイク。
【考案の詳細な説明】
【技術分野】
【０００１】
本出願は、フィットネスの技術分野に属し、具体的に、フィットネス制御システム及びスピンバイクに関する。
【背景技術】
【０００２】
技術の発展に伴って生活水準が改善されており、人々の健康意識もますます高まり、ますます多くの人がフィットネスを好きになってくる。
【０００３】
数多くのフィットネスプログラムのうち、スピンバイクが最も人気のある１つである。スピンバイクは、運動量の多いフィットネスプログラムであり、心肺機能を向上させるとともに、ダイエット、脚の筋肉の強化、身体能力全体の向上にも寄与できる。
【０００４】
しかしながら、従来のスピンバイクは、構成が単純で、楽しいフィットネス、没入型フィットネスのニーズに応えることができなくなる。
【考案の概要】
【０００５】
これに鑑みて、本出願は、中央制御装置がフィットネス設備のパラメーターの変化情報を検出し、端末設備がユーザのフィットネスシーンでの移動を模擬するように制御して、シーンにおける道路情報を中央制御装置にフィードバックし、中央制御装置が相応のフィードバックを生成することにより、ユーザにフィットネスシーンに没入させ、ユーザのフィットネスの楽しさとリアル感を向上させることができる、フィットネス制御システム及びスピンバイクを提供することを目的とする。
【０００６】
第１局面において、本出願の実施例は、フィットネス制御システムを提供し、該フィットネス制御システムは、フィットネス設備に適用され、中央制御装置と、前記中央制御装置と接続する端末設備とを備え、前記端末設備がディスプレイを含み、前記ディスプレイが予め設定されたフィットネスシーンにおける仮想キャラクターを表示するものであり、前記仮想キャラクターが、予め設定されるものであり、且つ前記フィットネス設備を利用するユーザを模擬したものであり、前記中央制御装置が、ユーザが前記フィットネス設備を利用してフィットネスを行う過程において、前記フィットネス設備の各パラメーターの変化情報をリアルタイムで取得し、前記フィットネス設備の各パラメーターの変化情報を前記端末設備に送信するように構成され、前記端末設備が、前記フィットネス設備の各パラメーターの変化情報に基づいて、前記ディスプレイの表示内容を制御し、前記仮想キャラクターが前記フィットネスシーンにおける上下揺れが発生する道路で走行するときに前記中央制御装置に制御信号をフィードバックするように構成され、前記中央制御装置が、さらに、前記制御信号を受信し、前記制御信号に基づいて前記フィットネス設備を、振動のフィードバックを生成するように制御する、ように構成される。
【０００７】
本出願の好ましい技術案において、上記のフィットネス設備はハンドルを備え、前記フィットネス制御システムは振動ユニットをさらに備え、前記振動ユニットが、前記ハンドルに取り付けられるとともに、前記中央制御装置に電気接続され、前記中央制御装置が、さらに、受信した前記制御信号に基づいて、前記振動ユニットを、フィットネス設備のハンドルで振動のフィードバックを発生するように制御する、ように構成される。
【０００８】
本出願の好ましい技術案において、上記のフィットネス設備はホイールを備え、前記フィットネス制御システムは第１角度センサを備え、前記第１角度センサが、前記ホイールに設置されるとともに、前記中央制御装置に電気接続され、前記第１角度センサが、ユーザが前記フィットネス設備を利用してフィットネスを行う過程において、前記フィットネス設備のホイール回転パラメーターをリアルタイムで検出し、前記ホイール回転パラメーターを前記中央制御装置に送信するように構成され、前記中央制御装置が、さらに、受信した前記ホイール回転パラメーターに基づいて、前記フィットネス設備のホイール回転変化パラメーターを確定し、前記フィットネス設備のホイール回転変化パラメーターを前記端末設備に送信するように構成される。
【０００９】
本出願の好ましい技術案において、上記のフィットネス設備はハンドルを備え、前記フィットネス制御システムは第２角度センサを備え、前記第２角度センサが、前記ハンドルに取り付けられるとともに、前記中央制御装置に電気接続され、前記第２角度センサが、ユーザが前記フィットネス設備を利用してフィットネスを行う過程において、前記フィットネス設備のハンドル回動パラメーターをリアルタイムで検出し、前記ハンドル回動パラメーターを前記中央制御装置に送信するように構成され、前記中央制御装置が、さらに、前記ハンドル回動パラメーターに基づいて、前記フィットネス設備のハンドル回動変化パラメーターを確定し、前記フィットネス設備のハンドル回動変化パラメーターを前記端末設備に送信するように構成される。
【００１０】
本出願の好ましい技術案において、上記のフィットネス設備はホイールを備え、前記フィットネス制御システムは、それぞれ前記中央制御装置に電気接続される速度調節ユニット及び制御ボタンをさらに備え、前記制御ボタンが、ユーザの、フィットネス設備に対するホイール速度調節操作に応答し、操作信号を生成し、前記操作信号を前記中央制御装置に送信するように構成され、前記中央制御装置が、さらに、該操作信号に対応する速度調節信号を生成し、前記速度調節信号を前記速度調節ユニットに送信するように構成され、前記速度調節ユニットが、前記フィットネス設備のホイールの回転速度を調節するように構成される。
【００１１】
本出願の好ましい技術案において、上記の制御ボタンは段アップダウン制御ボタンを含み、前記段アップダウン制御ボタンが、ユーザの、フィットネス設備に対する段アップダウン操作に応答し、段アップダウン操作信号を生成し、段アップダウン操作信号を前記中央制御装置に送信するように構成され、前記中央制御装置が、さらに、該段アップダウン操作信号に対応する加減速信号を生成し、前記加減速信号を前記速度調節ユニットに送信するように構成され、前記速度調節ユニットが、前記スピンバイクの段を調節するように構成され、前記制御ボタンが制動制御ボタンを含み、前記制動制御ボタンが、ユーザの、フィットネス設備に対する制動操作に応答し、制動操作信号を確定し、制動操作信号を前記中央制御装置に送信するように構成され、前記中央制御装置が、さらに、受信した前記制動操作信号に基づいて、該制動操作信号に対応する制動信号を生成し、前記制動信号を前記速度調節ユニットに送信するように構成され、前記速度調節ユニットが、受信した制動信号に基づいて、前記フィットネス設備を制動するように制御する、ように構成される。
【００１２】
本出願の好ましい技術案において、上記の速度調節ユニットは、磁気制御ユニットと電磁石とを備え、前記電磁石がホイールに設置され、前記磁気制御ユニットが中央制御装置及び電磁石のそれぞれと電気接続され、前記中央制御装置が、さらに、該操作信号に対応するパルス調節信号を生成し、前記パルス調節信号を前記磁気制御ユニットに送信するように構成され、前記磁気制御ユニットが、前記パルス調節信号に対応する調節電流を生成し、前記調節電流を前記電磁石に送るように構成され、前記電磁石が、前記調節電流に対応する磁力を発生し、発生した磁力によりホイールの回転速度を制御するように構成される。
【００１３】
第２方面において、本出願の実施例はスピンバイクを提供し、前記スピンバイクは、バイク本体と上記のフィットネス制御システムとを備え、前記フィットネス制御システムが前記バイク本体に取り付けられる。
【００１４】
本出願の好ましい技術案において、上記のバイク本体は、フレームと、ハンドルと、ホイールとを備え、前記振動ユニットがハンドルに設置され、前記第１角度センサがホイールに設置され、前記第２角度センサがハンドルに設置され、前記制御ボタンがハンドルに設置され、前記速度調節ユニットがホイールに設置される。
【００１５】
本出願の好ましい技術案において、上記のバイク本体は、フレームと、ハンドルと、ホイールとを備え、前記中央制御装置がハンドルの内部に設置され、前記端末設備がハンドルの前側に設置され、前記振動ユニットがハンドルの握り箇所に設置され、前記第１角度センサがホイールの中心位置に設置され、前記第２角度センサがハンドルのフレームと接続する箇所の底側に設置され、前記磁気制御ユニットがハンドルの内部に設置され、前記電磁石がホイールの周辺に設置される。
【００１６】
本出願の実施例による技術案は、下記の有益効果を有する。
【００１７】
前記フィットネス制御システムは、中央制御装置と、前記中央制御装置と接続する端末設備とを備え、前記端末設備がディスプレイを含み、前記ディスプレイが予め設定されたフィットネスシーンにおける仮想キャラクターを表示し、前記仮想キャラクターが、予め設定されるものであり、且つ前記フィットネス設備を利用するユーザを模擬し、前記中央制御装置が、ユーザが前記フィットネス設備を利用してフィットネスを行う過程において、前記フィットネス設備の各パラメーターの変化情報をリアルタイムで取得し、前記フィットネス設備の各パラメーターの変化情報を前記端末設備に送信し、前記端末設備が、前記フィットネス設備の各パラメーターの変化情報に基づいて、前記ディスプレイの表示内容を制御し、前記仮想キャラクターが前記フィットネスシーンにおける上下揺れが発生する道路で走行するときに前記中央制御装置に制御信号をフィードバックし、前記中央制御装置が、さらに、前記制御信号を受信し、前記制御信号に基づいて前記フィットネス設備を、振動のフィードバックを生成するように制御する。
【００１８】
本出願に係る中央制御装置は、フィットネス設備の各パラメーターの変化情報をリアルタイムで検出し、パラメーター変化情報を端末設備に送信し、端末設備が、仮想キャラクターを、前記フィットネス設備を利用するユーザを模擬して前記対象フィットネスシーンで移動するように制御し、検出した対象フィットネスシーンにおける道路情報を中央制御装置に送信し、中央制御装置が、対象フィットネスシーンにおける道路情報に基づいて、対象フィットネスシーンにおける道路情報に対応するフィードバックを、該フィットネス設備を利用するユーザに与えて、ユーザに対象フィットネスシーンに没入して楽しませることができ、ユーザの対象フィットネスシーンでのリアル感を高めることができる。
【００１９】
本出願の上記の目的、特徴及び利点をより明瞭にするため、以下、好ましい実施例を挙げて、図面を参照しながら、詳細に説明する。
【図面の簡単な説明】
【００２０】
本出願の実施例における技術案をより明瞭に説明するため、実施例の説明に必要な図面を簡単に説明する。なお、図面は、本出願のいくつかの実施例を示すものにすぎず、範囲を限定するものではない。当業者は、発明能力を用いなくても、これらの図面をもとに、他の関連図面を得ることが可能である。
【００２１】
【図１】本出願の実施例によるフィットネス制御システムの模式図である。
【図２】本出願の実施例による他のフィットネス制御システムの模式図である。
【図３】本出願の実施例による速度調節ユニットの模式図である。
【図４】本出願の実施例によるスピンバイクの模式図である。
【考案を実施するための形態】
【００２２】
本出願の実施例の目的、技術案及び利点をより明瞭にするため、以下、本出願の実施例に用いられる図面を参照しながら、本出願の実施例における技術案を明瞭且つ完全に説明し、説明される実施例が本出願の一部の実施例にすぎず、すべての実施例ではないことは無論である。ここで図面を用いて示した本出願の実施例における部品は、様々な配置方法で配置、設計することが可能である。このため、以下の、図面に示された本出願の実施例に対する詳細な説明は、本出願の選択された実施例にすぎず、保護しようとする本出願の範囲を限定するものではない。本出願の実施例をもとに、当業者が発明能力を用いることなく得たすべての他の実施例も、本出願の保護範囲に属する。
【００２３】
従来のスピンバイクは、機能が単一で、特にハンドルが単調で、ユーザにフィットネスシーンに没入させることができなく、ユーザが使用するときに孤独感や退屈感が生じさやすい。
【００２４】
これに鑑みて、本出願の実施例は、フィットネス制御システム及びスピンバイクを提供する。以下、実施例を用いて説明する。なお、矛盾がない限り、下記の実施例及び実施例における特徴を組み合わせることができる。
【００２５】
本出願に係るフィットネス制御システムは、フィットネス設備に適用される。ユーザは、フィットネス設備を利用して運動し、体を鍛え、体質を改善する。本出願に係るフィットネス設備はハンドルとホイールとを備え、ユーザがハンドルを握ってフィットネス設備を使用する。
【００２６】
図１は、本出願の実施例によるフィットネス制御システムを示すものである。フィットネス制御システムは、中央制御装置１００と、中央制御装置１００と通信接続する端末設備１１０とを備える。端末設備１１０は、ディスプレイを含み、該ディスプレイを介してグラフィカルユーザインタフェースを提供する。グラフィカルユーザインタフェースに対象フィットネスシーンが表示され、対象フィットネスシーンに、フィットネス設備を利用するユーザを模擬した仮想キャラクターが含まれる。
【００２７】
端末設備１１０は、ユーザのフィットネスシーンに対する選択操作に応答して、前記グラフィカルユーザインタフェースに前記ユーザが選択した対象フィットネスシーンを表示する。
【００２８】
中央制御装置１００は、ユーザがフィットネス設備を利用してフィットネスを行う過程において、フィットネス設備の各パラメーターの変化情報をリアルタイムで検出し、フィットネス設備の各パラメーターの変化情報を端末設備１１０に送信する。
【００２９】
端末設備１１０は、フィットネス設備の各パラメーターの変化情報に基づいて、仮想キャラクターを、フィットネス設備を利用するユーザを模擬して対象フィットネスシーンで移動するように制御するとともに、仮想キャラクターでユーザの移動を模擬する過程において、対象フィットネスシーンの道路情報をリアルタイムで検出し、道路情報が設定条件を満たした場合、設定条件に応じる制御信号を中央制御装置１００にフィードバックする。ここで、制御信号は、設定条件に応じる道路情報のフィットネス設備に対する影響に基づいて確定されるものである。
【００３０】
中央制御装置１００は、さらに、設定条件に応じる制御信号を受信するとともに、制御信号に基づいて、フィットネス設備を、影響に応じるフィードバックを生成するように制御する。
【００３１】
該システムを使用するとき、端末設備１１０は、最初に初期のフィットネスシーンを表示し、フィットネスシーンにフィットネス設備を利用するユーザを模擬した仮想キャラクターが含まれる。ユーザは、個人の好みで端末設備１１０により対象フィットネスシーンを選択することができ、このとき、フィットネス設備を利用するユーザを模擬した仮想キャラクターが対象フィットネスシーンに現れる。
【００３２】
ユーザがフィットネス設備を利用してフィットネスを行う過程において、フィットネス設備の構成部品がユーザのフィットネス動作に従って動作するため、フィットネス設備のパラメーターが変化する。例えば、ユーザがフィットネスを行うとき、フィットネス設備のホイールがユーザのフィットネス動作に従って回転する。ホイール初期角度を０°とすれば、ユーザがフィットネスを行うときにホイールが時計回りに１０°回転すると、フィットネス設備のパラメーターの変化情報が＋１０°となる。中央制御装置１００はフィットネス設備の各パラメーターの変化情報をリアルタイムで検出し、検出したフィットネス設備の各パラメーターの変化情報を端末設備１１０に送信し、端末設備１１０による仮想キャラクターの移動の更新にデータのサポートを提供する。
【００３３】
端末設備１１０は、中央制御装置１００からのフィットネス設備のパラメーター変化情報に基づいて、対象フィットネスシーンにおける仮想キャラクターを、フィットネス設備のパラメーター変化情報に対応して変化するように制御し、即ち、端末設備１１０と中央制御装置１００とが通信することにより、対象フィットネスシーンにおけるユーザの仮想キャラクターと実際のユーザのフィットネス動作とを同期させる。
【００３４】
端末設備１１０が仮想キャラクターを、フィットネス設備を利用するユーザを模擬して対象フィットネスシーンで移動するように制御するとき、対象フィットネスシーンにおける道路状況も変化しており、端末設備１１０が対象フィットネスシーンにおける道路情報をリアルタイムで検出する。道路情報が設定条件を満たす場合、端末設備１１０は、検出した道路情報に基づいて、設定条件に応じる制御信号を中央制御装置１００にフィードバックする。中央制御装置１００は、制御信号に基づいて、フィットネス設備を、相応のフィードバックを生成するように制御する。
【００３５】
例えば、対象フィットネスシーンが上下揺れの発生する砂利道である場合、端末設備１１０は、検出した砂利道による揺れの度合いに基づいて作動し、揺れの度合いが所定閾値より大きい場合、端末設備１１０が中央制御装置１００に揺れ制御信号を送信し、中央制御装置１００がフィットネス設備のハンドルを振動するように制御する。
【００３６】
本出願は、端末設備１１０によりユーザに対象フィットネスシーンを提供し、ユーザがフィットネスを行うときの興趣を増やすことができ、中央制御装置１００が端末設備１１０と通信することにより、ユーザがフィットネス設備を利用してフィットネスを行うとき、対象フィットネスシーンにおける自分の動き状態をリアルタイムで見ることができ、対象フィットネスシーンにおける道路状況を体験することができ、ユーザが没入型フィットネスを体験できるようになる。
【００３７】
図２に示すように、本出願の実施例において、選択可能な実施例として、フィットネス制御システムは振動ユニット１２０をさらに備え、振動ユニット１２０が、ハンドルに取り付けられるとともに、中央制御装置１００に電気接続される。
【００３８】
中央制御装置１００は、具体的に、受信した制御信号に基づいて、振動ユニット１２０を、フィットネス設備のハンドルにおいて影響に応じる振動フィードバックを生成するように制御する。
【００３９】
道路情報が異なる設定条件を満たすことによって、フィードバックに対応する制御信号が異なる。設定条件が対象フィットネスシーンにおける路面の揺れ度合いに基づいて確定される。揺れ度合いが対象フィットネスシーンにおける路面の揺れの度合いを表す。
【００４０】
制御信号は振動周波数と振動の振幅に対応するものであり、揺れ度合いと、制御信号に対応する振動周波数と振動の振幅とが正の相関関係を有する。
【００４１】
具体的に、本出願に係るフィットネス制御システムは振動ユニット１２０を備え、振動ユニット１２０が、フィットネスシーンにおける路面による揺れの度合いに基づいて、揺れの度合いに対応する振動周波数と振動の振幅を生成し、揺れ度合いが高くなればなるほど、中央制御装置１００が生成する制御信号に対応する振動周波数と振動の振幅が大きく、振動ユニット１２０が対応の振動周波数と振動の振幅を生成する。
【００４２】
例えば、対象フィットネスシーンの路面に１つの石があり、仮想キャラクターが対象フィットネスシーンにおいてこの石を踏んで、一回の上下揺れが発生する。端末設備１１０は、対象フィットネスシーンにおいて石が検出されたという情報を中央制御装置１００に送信し、中央制御装置１００がこの石情報に対応する振動周波数と振幅の制御信号をフィードバックし、振動ユニット１２０が該制御信号に基づいて対応の振動を発生する。したがって、ユーザがフィットネス設備を利用してフィットネスを行う過程において、対象フィットネスシーンを見るだけでなく、対象フィットネスシーンにおける道路状況をリアルに体験することができる。
【００４３】
本出願の実施例において、選択可能な実施例として、フィットネス制御システムは第１角度センサ１３０を備え、第１角度センサ１３０が、ホイールに設置されるとともに、中央制御装置１００に電気接続される。
【００４４】
第１角度センサ１３０は、ユーザがフィットネス設備を利用してフィットネスを行う過程において、フィットネス設備のホイール回転パラメーターをリアルタイムで検出し、ホイール回転パラメーターを中央制御装置１００に送信する。
【００４５】
中央制御装置１００は、受信したホイール回転パラメーターに基づいて、フィットネス設備のホイール回転変化パラメーターを算出し、フィットネス設備のホイール回転変化パラメーターを端末設備１１０に送信する。
【００４６】
本出願に係る中央制御装置１００はフィットネス設備の各パラメーターの変化情報を検出するとき、具体的に、第１角度センサ１３０によりホイール回転パラメーターをリアルタイムで検出し、第１角度センサ１３０が、検出した複数のホイール回転パラメーターを中央制御装置１００に送信し、中央制御装置１００が、受信した複数のホイール回転パラメーターに基づいて、ホイール回転変化パラメーターを算出する。
【００４７】
第１角度センサ１３０は、第１ホイール回転パラメーターと第２ホイール回転パラメーターとを検出した場合、第１ホイール回転パラメーターと第２ホイール回転パラメーターとを中央制御装置１００に送信し、中央制御装置１００は、第１ホイール回転パラメーターと第２ホイール回転パラメーターに基づいて、ホイール回転変化パラメーターを得る。
【００４８】
例えば、第１角度センサ１３０により、ホイールが時計回りに５°回転したと検出された場合、第１ホイール回転パラメーターが＋５°となり、第１角度センサ１３０により、ホイールが時計回りに３°回転したとさらに検出された場合、第２ホイール回転パラメーターが＋３°となり、したがって、ホイール回転変化パラメーターが＋８°となる。
【００４９】
第１角度センサ１３０により、ホイールが時計回りに５°回転したと検出された場合、第１ホイール回転パラメーターが＋５°となり、第１角度センサ１３０により、ホイールが反時計回りに３°回転したとさらに検出された場合、第２ホイール回転パラメーターが−３°となり、したがって、ホイール回転変化パラメーターが＋２°となる。
【００５０】
本出願の実施例において、選択可能な実施例として、フィットネス制御システムは第２角度センサ１４０を備え、第２角度センサ１４０が、ハンドルに取り付けられるとともに、中央制御装置１００に電気接続される。
【００５１】
第２角度センサ１４０は、ユーザがフィットネス設備を利用してフィットネスを行う過程において、フィットネス設備のハンドル回動パラメーターをリアルタイムで検出し、ハンドル回動パラメーターを中央制御装置１００に送信する。
【００５２】
中央制御装置１００は、受信したハンドル回動パラメーターに基づいて、フィットネス設備のハンドル回動変化パラメーターを算出し、フィットネス設備のハンドル回動変化パラメーターを端末設備１１０に送信する。
【００５３】
本出願に係るフィットネス設備のハンドルは、回動可能である。本出願に係る中央制御装置１００は検出フィットネス設備の各パラメーターの変化情報を検出するとき、具体的に、ハンドルに取り付けられる第２角度センサ１４０により、ハンドル回動パラメーターを検出する。第２角度センサ１４０が、検出した複数のハンドル回動パラメーターを中央制御装置１００に送信し、中央制御装置１００が、受信した複数のハンドル回動パラメーターに基づいて、ハンドル回動変化パラメーターを算出する。
【００５４】
第２角度センサ１４０は、第１ハンドル回動パラメーターと第２ハンドル回動パラメーターとを検出した場合、第１ハンドル回動パラメーターと第２ハンドル回動パラメーターとを中央制御装置１００に送信し、中央制御装置１００は、第１ハンドル回動パラメーターと第２ハンドル回動パラメーターに基づいて、ハンドル回動変化パラメーターを得る。
【００５５】
例えば、第２角度センサ１４０により、ハンドルが右に２°回動したと検出され、第１ハンドル回動パラメーターが＋２°となり、第２角度センサ１４０により、ハンドルが右に１°回動したとさらに検出され、第２ハンドル回動パラメーターが＋１°となり、したがって、ハンドル回動変化パラメーターが＋３°となる。
【００５６】
第２角度センサ１４０により、ハンドルが右に２°回動したと検出され、第１ハンドル回動パラメーターが＋２°となり、第２角度センサ１４０により、ハンドルが左に１°回動したとさらに検出され、第２ハンドル回動パラメーターが−１°となり、したがって、ハンドル回動変化パラメーターが＋１°となる。
【００５７】
本出願の実施例において、選択可能な実施例として、フィットネス制御システムは、それぞれ中央制御装置１００に電気接続される速度調節ユニット１６０及び制御ボタン１５０をさらに備える。
【００５８】
制御ボタン１５０は、ユーザの、フィットネス設備に対するホイール速度調節操作に応答し、ホイール速度調節操作に対応する速度調節パラメーターに基づいて対応の操作信号を確定し、操作信号を中央制御装置１００に送信する。
【００５９】
中央制御装置１００は、受信した操作信号に基づいて、該操作信号に対応する速度調節信号を生成し、速度調節信号を速度調節ユニット１６０に送信する。
【００６０】
速度調節ユニット１６０は、受信した速度調節信号に基づいて、速度調節パラメーターに参照してフィットネス設備のホイールの回転速度を調節する。
【００６１】
本出願の実施例において、選択可能な実施例として、制御ボタン１５０は、段アップダウン制御ボタンを含む。
【００６２】
段アップダウン制御ボタンは、ユーザの、フィットネス設備に対する段アップダウン操作に応答し、段アップダウン調節操作に対応する段アップダウン調節パラメーターに基づいて対応の段アップダウン操作信号を確定し、段アップダウン操作信号を中央制御装置１００に送信する。
【００６３】
中央制御装置１００は、受信した段アップダウン操作信号に基づいて、該段アップダウン操作信号に対応する加減速信号を生成し、加減速信号を速度調節ユニット１６０に送信する。
【００６４】
速度調節ユニット１６０は、受信した加減速信号に基づいて、段アップダウン調節パラメーターに参照してスピンバイクの段を調節する。
【００６５】
本出願の実施例において、選択可能な実施例として、制御ボタン１５０は制動制御ボタンを含む。
【００６６】
制動制御ボタンは、ユーザの、フィットネス設備に対する制動操作に応答し、制動操作信号を確定し、制動操作信号を中央制御装置１００に送信し、中央制御装置１００は、受信した制動操作信号に基づいて、該制動操作信号に対応する制動信号を生成し、制動信号を速度調節ユニット１６０に送信する。
【００６７】
速度調節ユニット１６０は、受信した制動信号に基づいて、フィットネス設備を制動するように制御する。
【００６８】
該フィットネス制御システムは制御ボタン１５０を備え、ユーザが手軽に操作できるように、制御ボタン１５０がハンドルに設けられる。ユーザがフィットネスを行う過程において、対象フィットネスシーンに応じて、制御ボタン１５０により必要な段又は制動操作を選択することができる。本出願における制動制御ボタンは、同じ効果を有する制動制御レバーなどの他の制動装置であってもよく、ここで具体的に限定しない。
【００６９】
制御ボタン１５０は、ユーザの、フィットネス設備に対するホイール速度調節操作に応答し、ユーザの速度調節操作に対応する操作信号を生成し、操作信号を中央制御装置１００に送信し、中央制御装置１００は、操作信号に基づいて、対応の速度調節信号を生成し、速度調節ユニットは、速度調節信号に基づいて、ホイールの回転速度を調節する。
【００７０】
例えば、ユーザが３段でフィットネスを行うとき、３段の場合にホイールにかけられる磁力が４Ｎであり、４段の場合にホイールにかけられる磁力が３Ｎである。ユーザは制御ボタン１５０により「１段アップ」操作を入力し、制御ボタン１５０が中央制御装置１００に「１段アップ」の操作信号を送信し、中央制御装置１００が、受信した「１段アップ」の操作信号に基づいて、力を３Ｎまで下げる速度調節信号を生成し、生成した力を３Ｎまで下げる速度調節信号を速度調節ユニット１６０に送信し、速度調節ユニット１６０がホイール回転速度を３Ｎに調節する。
【００７１】
図３に示すように、速度調節ユニット１６０は、磁気制御ユニット１６１と電磁石１６２とを備え、電磁石１６２がホイールに設置され、磁気制御ユニット１６１が中央制御装置１００及び電磁石１６２のそれぞれと電気接続される。
【００７２】
中央制御装置１００は、具体的に、受信した操作信号に基づいて、該操作信号に対応するパルス調節信号を生成し、パルス調節信号を磁気制御ユニット１６１に送信する。
【００７３】
磁気制御ユニット１６１は、受信したパルス調節信号に基づいて、パルス調節信号に対応する調節電流を生成し、調節電流を電磁石１６２に送る。
【００７４】
電磁石１６２は、受けた調節電流に基づいて、調節電流に対応する磁力を生成し、生成した磁力によりホイールの回転速度を制御する。
【００７５】
該フィットネス制御システムにおける速度調節ユニット１６０は、具体的に、磁気制御ユニット１６１及び電磁石１６２を備える。中央制御装置１００はパルス調節信号により磁気制御ユニット１６１を制御し、磁気制御ユニット１６１がパルス調節信号に対応する調節電流を生成し、磁気制御ユニット１６１が調節電流により電磁石１６２を制御し、電磁石１６２が調節電流に対応する磁力を生成する。ホイールの回転速度が磁力に関するものであり、磁力が大きければ大きいほど、ホイール回転速度が小さくなり、磁力が小さければ小さいほど、ホイール回転速度が大きくなる。ユーザが制動操作を実行するとき、電磁石１６２がホイールを吸引して、ホイールの回転を停止させる。
【００７６】
本出願の実施例において、選択可能な実施例として、スピンバイクは、バイク本体と上記のフィットネス制御システムとを備え、フィットネス制御システムがバイク本体に取り付けられる。
【００７７】
図４に示すように、バイク本体は、フレーム２１０と、ハンドル２２０と、ホイール２３０とを備える。振動ユニット１２０がハンドル２２０に設置され、第１角度センサ１３０がホイール２３０に設置され、第２角度センサ１４０がハンドル２２０に設置され、制御ボタン１５０がハンドル２２０に設置され、速度調節ユニット１６０がホイール２３０に設置される。
【００７８】
具体的に、中央制御装置１００がハンドル２２０の内部に設置され、端末設備１１０がハンドル２２０の前側に設置され、振動ユニット１２０がハンドル２２０の握り箇所に設置され、第１角度センサ１３０がホイール２３０の中心位置に設置され、第２角度センサ１４０が、ハンドル２２０のフレーム２１０と接続する箇所の底側に設置され、磁気制御ユニット１６１がハンドル２２０の内部に設置され、電磁石１６２がホイール２３０の周辺に設置される。
【００７９】
該スピンバイクにおいて、フレーム２１０とハンドル２２０とが可動に接続され、即ち、ハンドル２２０が左右回動することが可能である。端末設備１１０がタブレットであってもよい。フレーム２１０にサドルやペダルなどのスピンバイクにとって必要な他の構成部品が設置される。
【００８０】
ユーザが該スピンバイクを使用するとき、タブレットを起動すると、タブレットに初期のフィットネスシーンが表示され、フィットネスシーンに該スピンバイクを使用するユーザを模擬した仮想キャラクターが含まれ、ユーザがタブレットで好きな対象フィットネスシーンを選択することができ、したがって、該スピンバイクを使用するユーザを模擬した仮想キャラクターが対象フィットネスシーンに現れる。ユーザが該スピンバイクを使用するとき、仮想キャラクターも対象フィットネスシーンにおいて相応に移動する。そして、対象フィットネスシーンにおいて上下揺れが発生する道路が現れたとき、中央制御装置１００が振動ユニット１２０により対象フィットネスシーンに一致する上下揺れ体験をユーザに与える。ユーザが該スピンバイクでカーブしたり、変速したり、制動したりするとき、仮想キャラクターも相応の操作を行い、したがって、ユーザが対象フィットネスシーンに没入してフィットネスを行うことができる。
【００８１】
具体的に、現在、ほとんどのスピンバイクのケイデンス（即ち、ホイール２３０の回転）を検出するとき、ユーザの足が１回転した（即ち、ホイール２３０が３６０°回転した）あとのみ、中央制御装置１００がユーザの踏む動作を検出可能であるため、ユーザの実際の動作を反映することができない。
【００８２】
該スピンバイクは、リードスイッチ、永久磁石及び第１角度センサ１３０を採用して、検出経路を増加する。ホイールが回転するとき、第１角度センサ１３０が角度変化データを生成し、ＳＰＩインタフェースにより中央制御装置１００に伝送し、ケイデンスの検出を完成させる。
【００８３】
ユーザがスピンバイクに乗るとき、ペダルを踏むと同時に、第１角度センサ１３０がホイール２３０の回転角度を検出し、検出したホイール２３０回転角度情報を中央制御装置１００に送信し、中央制御装置１００がホイール２３０の回転角度情報に基づいて、ホイール２３０の回転角度変化情報を算出し、ブルートゥース（登録商標）／又はＲＳ４８５によりタブレットに伝送し、タブレットがホイール２３０の回転角度変化情報を受信したあと、対象フィットネスシーンを相応に変化するように制御する。このようにして、ユーザの実際の踏む速度と、タブレットにおける対象フィットネスシーンの仮想キャラクターとを同期させることができるため、ユーザが対象フィットネスシーンを没入して体験することができる。
【００８４】
ユーザのリアルな感を高めるため、該スピンバイクに可動ハンドル２２０を設置して、ゲーム性を向上させる。
【００８５】
ハンドル２２０の内側に第２角度センサ１４０が設置され、ＳＰＩインタフェースによりハンドル２２０の回動情報を中央制御装置１００に伝送する。ハンドル２２０が回動するとき、第２角度センサ１４０が回動情報を中央制御装置１００に伝送し、中央制御装置１００が、ハンドル２２０の回動情報に基づいてハンドル２２０の回動変化情報を得る。ユーザが対象フィットネスシーンにおけるカーブを走行するとき、ハンドル２２０を制御することによりカーブすることができる。ハンドル２２０が左に回動し又は右に回動するとき、ハンドル２２０内の第２角度センサ１４０がハンドル２２０の回動角度データを検出し、ハンドル２２０の回動角度データを中央処理装置１００に伝送する。中央処理装置１００が、ハンドル２２０の回動角度データを受信したあと、「左折又は右折する」データをブルートゥース／又はＲＳ４８５によりタブレットに伝送し、タブレットが、対象フィットネスシーンにおけるバイク及び仮想キャラクターをカーブするように制御する。バイク及び仮想キャラクターがカーブすることは、直接左折したり、右折したりするのではなく、ハンドル２２０の回動変化角度に応じた幅でカーブする。
【００８６】
中央制御装置１００は、Ｉ２Ｃバスにより磁気制御ユニット１６１の電流情報を収集し、中央制御装置１００が磁気制御ユニット１６１の電流変化を収集し、中央制御装置１００は、調整ＰＷＭを磁気制御ユニット１６１に入力することにより、電流制御を行う。
【００８７】
ユーザがスピンバイクに乗る過程において制動するとき、制動キーを押し、制動制御ボタン／又はＲＳ４８５が制動信号を受信したあと、４８５バスを介して中央制御装置１００に伝送し、中央制御装置１００が制動情報を受信したあと、調整ＰＷＭを磁気制御ユニット１６１に出力し、磁気制御ユニット１６１が磁力を増大して、スピンバイクホイール２３０を停止させ、同時に、タブレットにおいて対象フィットネスシーンにおける仮想キャラクターも停止する。
【００８８】
該スピンバイクは、ハンドル２２０における段アップダウンスイッチにより、中央制御装置１００に段アップダウン信号を送信し、段アップダウン信号が中央制御装置１００により処理され、中央制御装置１００が処理された段アップダウン情報を磁気制御ユニット１６１に送信し、磁気制御ユニット１６１が電流を増加又は減少することにより速度の変化を実現して、速度変化をタブレットに反映する。例えば、平坦な道路から上り坂道路に走行する場合、平坦な道路で４段にし、上り坂でも４段で走行すれば、より多くの踏力が必要で、段を下げれば、走行には必要な力が小さくなり、したがって、ユーザにリアルなサイクリングの体験を与えることができる。
【００８９】
該スピンバイクにおいて、ハンドル２２０にハンドル２２０の左右振動の機能が付加される。タブレットにおいて対象フィットネスシーンにおける仮想キャラクターが上下揺れが発生する路面で走行するとき、上下揺れが発生する路面の情報を中央制御装置１００に送信し、中央制御装置１００が、上下揺れが発生する路面の情報を受信したあと、振動信号をモータ駆動部に送信し、モータ駆動部が信号を取得したあと、ハンドル２２０における左右振動モータを駆動して、振動を実現する。
【００９０】
本出願による実施例において、記載されたシステム及び方法は、他の方式により実現することが可能である。上記に説明されたシステムの実施例は、例示的なものにすぎない。例えば、前記のユニットの区分は、単に論理的な機能区分であり、実際の実現では別の区分であってもよい。例えば、複数のユニット又はコンポーネントを組み合わせ、又は別のシステムに統合してもよく、或いは一部の特徴を省略又は不実行にしてもよい。また、示したもしくは論じた相互結合又は直接結合又は通信接続は、いくつかのインターフェース、システム又はユニットを介する間接結合又は通信接続であってもよく、また、電気的、機械的又は他の形式による接続であってもよい。
【００９１】
上記の別個の部品として説明されたユニットは、物理的に別個であってもなくてもよく、ユニットとして示した部材は、物理的なユニットであってもなくてもよく、つまり、同一の位置に配置してもよく、複数のネットワークユニットに分散してもよい。本実施例の案の目的を達成するために実際の要求に応じて一部又は全部のユニットを選択することが可能である。
【００９２】
また、本出願による実施例における各機能ユニットは、１つの処理ユニットに統合してもよく、独立した物理的な存在として機能してもよく、２つ以上のユニットを１つのユニットに統合させてもよい。
【００９３】
前記機能は、ソフトウェア機能ユニットの形式で実現され、独立した製品として販売されたり使用されたりする場合、コンピュータ読取可能な記憶媒体に記憶されることが可能である。このような理解から、本出願の技術案のそのもの、或いは従来技術に寄与できる部分、或いは該技術案の一部は、ソフトウェア製品の形式で実現できる。該コンピュータソフトウェア製品は、記憶媒体に記憶され、コンピュータ設備（パソコン、サーバ或いはネットワーク設備などであってもよい）により本出願の各実施例に記載の方法の全部又は一部のステップを実行するための複数のコマンドを含む。上記の記憶媒体は、ＵＳＢディスク、携帯型ハードディスク、リードオンリーメモリ（Ｒｅａｄ−Ｏｎｌｙ  Ｍｅｍｏｒｙ、ＲＯＭ）、ランダムアクセスメモリ（Ｒａｎｄｏｍ−Ａｃｃｅｓｓ  Ｍｅｍｏｒｙ、ＲＡＭ）、磁気ディスク又は光ディスク等の各種の、プログラムコードを記憶できる媒体を含む。
【００９４】
なお、同様な符号は、図面において同様なものを示すので、１つの図面で定義された場合、その他の図面でさらに定義、解釈することが不要になる。また、「第１」、「第２」、「第３」などの用語は、区別して説明するためのものにすぎず、相対重要性を明示又は暗示するものではないと理解すべきである。
【００９５】
最後に注意すべきことは、上記の実施例が、本出願の技術案を説明するための具体的な実施形態にすぎず、本出願を限定するものではないので、本出願の保護範囲がこれに限定されない。上記の実施例を用いて本出願を詳しく説明したが、当業者は、本出願に開示された技術の範囲において、上記の実施例に記載された技術案に対して改良又は変更をすることができ、或いはその中の技術的特徴の一部に対して均等置換を行うこともできることが無論である。これらの改良、変更または置換の該当する技術案の本質は、本出願の実施例による技術案の主旨や範囲から逸脱せず、いずれも本出願の保護範囲に属するものである。このため、本出願の保護範囲は特許請求の範囲に準ずるべきである。
【図１】
0003235301.tif 000003
【図２】
0003235301.tif 000004
【図３】
0003235301.tif 000005
【図４】
0003235301.tif 000006